(57)【特許請求の範囲】
【請求項１】
生体情報の測定値を測定時項目と共に日付毎に管理する生体情報管理装置であって、
前記測定値を入力する測定値入力手段と、
時刻を計時する時計手段と、
前記測定時項目を入力する測定時項目入力手段と、
前記測定時項目が属する複数の時間管理区分を記憶する時間区分記憶手段と、
前記測定時項目入力手段により測定時項目が入力された際に、その測定時項目が属する時間区分を、前記時間区分記憶手段に記憶された複数の時間区分の中から選択する時間区分選択手段と、
前記測定値入力手段により測定値が入力された際に、前記時計手段により計時された時刻と前記時間区分選択手段により選択された時間区分とに基づいて日付を決定し、この決定された日付に対応させて前記測定値を記憶するように制御する制御手段と
を備えたことを特徴とする生体情報管理装置。
【請求項２】
前記時間区分選択手段にて選択された時間区分が午前０時を跨ぐ区分であり、前記測定値が入力された際に前記時計手段にて計時された時刻が、前記の選択された時間区分内の午前０時を越えた時刻である場合には、前記制御手段が、入力された測定値を午前０時を越える日の前日の日付に対応させて記憶するように制御する、請求項１に記載の生体情報管理装置。
【発明の詳細な説明】
【０００１】
【発明の属する技術分野】
本発明は、生体情報管理装置に関する。本発明によれば、測定時項目と測定データとを正確に対応させたデータ管理が可能になり、特に血糖値管理に好適に利用することができる。
【０００２】
【従来の技術】
一般的に、血糖値の測定は、各種の測定条件下において測定し、それぞれの測定値と測定条件とを正確に対応させて管理する必要がある。血糖値の測定時項目は、一般に８種類（朝食前、朝食後、昼食前、昼食後、夕食前、夕食後、就寝時、及び深夜）であり、これらの全てが測定されることが望ましい。
また、糖尿病などの患者（測定者）は、その血糖値を全ての測定時項目毎に又はいくつかの測定時項目について長期に亘り測定し、血糖値の変化のトレンドを分析することによって、正確な診断が可能になる。
しかしながら、従来の血糖値管理装置では、測定時項目の日付管理が、正確に行えない場合があった。例えば、測定時項目の日付管理は、０時００分から２３時５９分までであり、実際の測定時刻が２４時（０時）００分を越える場合は、得られた測定データを実際に測定が行われた日付の測定データとして処理して管理することになる。この場合、測定者が測定時項目に沿って血糖値の測定を行っても、必ずしも日付管理されるべき測定時項目と測定実施日とが一致するとは限らない。例えば、７月１日の血糖値データの日付管理を考えると、測定時項目を「夕食後」とし、測定の実施時間が翌日の７月２日の深夜０時３０分であった場合、「夕食後」として測定された血糖値は本来７月１日の「夕食後」の血糖値として管理されるべきものが、７月２日の「夕食後」の測定データとして管理される。従って、翌日（７月２日）の「夕食後」の測定時項目の測定を７月２日の午後８時に実施すると、７月２日の「夕食後」のデータが２つ存在することとなり（重複表示）、７月１日の夕食後のデータが存在しないこと（データ抜け）になるという問題があった。
【０００３】
【発明が解決しようとする課題】
本発明の目的は、従来技術の前記欠点を解消することにあり、人間生活の実際的な行動パターンに則して血糖値の管理を行うことを可能にする生体情報管理装置を提供することにある。
【０００４】
【課題を解決するための手段】
前記の課題は、本発明による生体情報の測定値を測定時項目と共に日付毎に管理する生体情報管理装置であって、
前記測定値を入力する測定値入力手段と、
時刻を計時する時計手段と、
前記測定時項目を入力する測定時項目入力手段と、
前記測定時項目が属する複数の時間管理区分を記憶する時間区分記憶手段と、
前記測定時項目入力手段により測定時項目が入力された際に、その測定時項目が属する時間区分を、前記時間区分記憶手段に記憶された複数の時間区分の中から選択する時間区分選択手段と、
前記測定値入力手段により測定値が入力された際に、前記時計手段により計時された時刻と前記時間区分選択手段により選択された時間区分とに基づいて日付を決定し、この決定された日付に対応させて前記測定値を記憶するように制御する制御手段と
を備えたことを特徴とする生体情報管理装置によって解決することができる。
【０００５】
【発明の実施の形態】
以下、図面を参照して本発明の実施形態を説明する。
本発明の１実施形態である血糖計を図１及び図２に示す。図１は、血糖計のリーダー１の斜視図であり、図２は血糖計の穿刺具２の斜視図である。血糖計は、リーダー１（図１）、穿刺具２（図２）、穿刺針（図示せず）、及び測定用チップ（図示せず）からなる。リーダー１は、リーダー１の電源をオン・オフする電源ボタン１１、前記測定用チップ（図示せず）を装着するチップ装着部１２、装着された測定用チップを測定後に取り外すためのエジェクター１３、記憶された最新測定データを呼び出すための呼び出しボタン１４、及びデータや時間などを表示する表示部１５を備えている。また、穿刺具２は、前記穿刺針（図示せず）が装着される先端部２１、及び採血するときに穿刺針を突き出すためのプッシュボタン２２を備えている。
【０００６】
図３は、本発明による血糖値管理装置の要部の構成を示すブロック図である。血糖値管理装置は、装置全体の制御を行うＣＰＵ３１、血糖計リーダー１の表示部１５に示された測定値（血糖値）を手動で入力する入力部３２、測定時項目のメニュー又は入力された血糖値あるいは分析されたデータやグラフなどを表示する表示手段（例えば、液晶ディスプレイ）３３、及びＣＰＵ３１が実行する制御プログラムを格納したＲＯＭ３４を含む。測定時項目のメニューとしては、例えば、朝食前、朝食後、昼食前、昼食後、夕食前、夕食後、就寝時、及び深夜などが表示される。
血糖値管理装置は、更に、ＣＰＵ３１の処理などに利用されるＲＡＭ３５を含み、このＲＡＭ３５には、例えば、日付毎に、そして各測定時項目毎に入力された血糖値を記憶する。また、前記の測定時項目に対応づけられた時間区分１及び時間区分２が記憶されている。例えば、時間区分１には、０時００分から２３時５９分が割り当てられ、時間区分２には、前記時間区分１とは１２時間ずれた１２時から翌日の１１時５９分が割り当てられる。更に、例えば、時間区分１は、測定時項目の朝食前、朝食後、昼食前、及び昼食後と対応づけられ、時間区分２は、測定時項目の夕食前、夕食後、就寝時、及び深夜と対応づけられている。血糖値管理装置は、更に、顧客管理のためのＩＤコードなどが格納されているＥＥＰＲＯＭ３６を含む。
【０００７】
次に、図１及び図２を参照して血糖値の測定について説明する。
血糖値を測定する場合には、最初に採血を行う。まず、穿刺具２の先端部２１に穿刺針をセットする。次に、測定用チップをリーダー１のチップ装着部１２にセットし、電源ボタン１１をオンする。そして、リーダー１が正常に動作することを確認する。穿刺針を指先に直角に当ててから穿刺具２のプッシュボタン２２を押して穿刺し、指先に水滴状に血液を出す。
リーダー１に装着された測定用チップの先端部分を血液に接触させて測定用チップに血液を吸収させる。リーダー１は自動的に測定を開始し、約２０秒後に測定結果が表示部１５に表示される。そして、電源ボタン１１を再度押して電源をオフにする。こうして、血糖値が測定される。測定が終了したら、エジェクター１３をスライドさせて測定用チップをチップ装着部１２から取り外す。
【０００８】
図４は、血糖値管理装置の動作処理手順を示すフローチャートである。ここで、図３及び図４を参照して本発明の動作を説明する。
図示しない電源ボタンが押下されると、表示部３３に測定時項目（朝食前、朝食後、昼食前、昼食後、夕食前、夕食後、就寝時、及び深夜）が表示される（図４のステップＳ１）。測定者（入力者）は、所望の測定時項目をタッチパネルでタッチして指定する（図４のステップＳ２）。例えば、「夕食後」を選択する。
【０００９】
ＣＰＵ３１は、入力された測定時項目に沿って、それに対応する時間区分１又は時間区分２のいずれかをＲＯＭ３４から選択して読み出す。ここでは「夕食後」が選択されたので、時間区分２が読み出される（図４のステップＳ３）。測定者（入力者）は、先に血糖計で測定した血糖値データを入力（図４のステップＳ４）するが、その入力時刻が、実際には、例えば、翌日の０時３０分であったものとする。
ＣＰＵ３１は、時間区分２と時計手段（図示せず）によって得られる入力時の時刻情報（日時分）とにより、日付を翌日ではなく当日に決定（図４のステップＳ５）し、当日の測定時項目及び血糖値データをＲＡＭ３５に記憶する（図４のステップＳ６）。
こうして、実際の入力時刻が翌日に入ってしまった場合でも、前記の測定時項目の簡単な選択操作によって、前記の時間区分が自動的に適切に選択され、データを当日に分類させることができる。
【００１０】
ＣＰＵ３１は、例えば、１週間の血糖値データのトレンドや朝食前のみの血糖値データによる３０日間のトレンドなどを測定者の要望により、表示部３３にグラフ表示したり、送信装置（図示せず）を使用して管理センターに送信することができる。
【００１１】
以上の説明では、時間区分を各々２４時間として２つ設けた場合を示したが、時間区分の設定の方法は、これに限られることはなく、例えば、１つの時間区分（時間区分１）だけでもよいし、測定時項目毎に時間区分を設定することもできる。１つの時間区分（時間区分１）だけにした場合でも、朝食前、朝食後、昼食前、及び昼食後においては、日付をまたがって翌日に測定されることは事実上あり得ないので、日付管理の上では問題はない。
更に、以上の説明では、血糖計で測定した血糖値を手動で血糖値管理装置に入力する場合を示したが、血糖計に送信部を設け、この送信部から無線で血糖値管理装置に自動的に送信することもできる。
また、以上の説明では、血糖計と血糖値管理装置とが相互に別異の装置である場合を示したが、それらが一体化した装置を用いることもできる。
更に、血糖値に関して説明したが、その他の生体情報値であることもできる。
【００１２】
【発明の効果】
本発明によれば、実際の測定時刻と管理のための測定時項目の内容とが一致していなくとも、実体に則した正確な血糖値などの日付管理が可能となる。
【図面の簡単な説明】
【図１】血糖計のリーダーの斜視図である。
【図２】血糖計の穿刺具の斜視図である。
【図３】本発明の血糖値管理装置の構成を示すブロック図である。
【図４】前記血糖値管理装置の動作処理手順を示すフローチャートである。
【符号の説明】
１・・・血糖計のリーダー；２・・・穿刺具；１１・・・電源ボタン；
１２・・・チップ装着部；１３・・・エジェクター；
１４・・・呼び出しボタン；１５・・・表示部；２１・・・先端部；
２２・・・プッシュボタン；３１・・・ＣＰＵ；３２・・・入力手段；
３３・・・表示手段；３４・・・ＲＯＭ；３５・・・ＲＡＭ；
３６・・・ＥＥＰＲＯＭ。
【図１】
0003753869.tif 000002
【図２】
0003753869.tif 000003
【図３】
0003753869.tif 000004
【図４】
0003753869.tif 000005